(57)【要約】【課題】携帯電話などの電子機器を水に落すことにより、電子機器が使用不能に陥った場合でも、その電子機器を一時的にでも回復させることにより、その内部に蓄積されたデータを読み込むことができるようにする。【解決手段】高純度の純水を貯水するように形成した第１再生処理槽と、再生処理層内の純水を循環させる循環手段と、再生処理槽内の純水の純度が保たれるようにした純度保持手段と、を備え、電子機器を再生貯水槽に投入することにより、電子機器の電子回路上に付着した付着物を純水で洗浄するようにした。【選択図】図２
2005254104.tif 000002
【特許請求の範囲】
【請求項１】
電子機器が水濡れ汚染により使用不能になった場合でも、これを一時的に復帰させることにより、内部データのバックアップ記録を可能にするデータ復帰装置であって、
高純度の純水を貯水するように形成した第１再生処理槽と、
前記再生処理層内の純水を循環させる循環手段と、
前記再生処理槽内の純水の純度が保たれるようにした純度保持手段と、を備え、前記電子機器を前記再生貯水槽に投入することにより、前記電子機器の電子基板上に付着した付着物を純水で洗浄するようにしたことを特徴とするデータ復帰装置。
【請求項２】
前記純度保持手段は、純水の循環途中に設けられたイオン交換樹脂及びフィルタであり、純水の純度を電気伝導度０．０６〜１００μＳ／ｃｍに保つことを特徴とする請求項１に記載のデータ復帰装置。
【請求項３】
前記データ復帰装置は、前記電子機器が純水による洗浄でデータ復帰しなかった場合、さらに、酸性水もしくはアルカリ水に浸すための第２再生処理槽を備えていることを特徴とする請求項１または２に記載のデータ復帰装置。
【請求項４】
前記第１および／または第２再生処理槽には、超音波によるキャビテーションの発生装置が設けられ、キャビテーションで純水を振動させて前記付着物を剥離するようにしたことを特徴とする請求項１ないし３のいずれかに記載のデータ復帰装置。
【発明の詳細な説明】
【技術分野】
【０００１】
本発明は、携帯電話などの電子機器を洗浄して、その内部に保存されているデータを復帰させるデータ復帰装置に関するものである。
【背景技術】
【０００２】
水濡れ等により電子機器に問題が発生した場合、問題が発生している回路基板等を交換することにより修理可能なものであるが、その回路基板に必要なデータメモリが内臓されていた場合、その回路基板を交換することで電子機器を復活させたとしても、必要なデータが失われたときにはその損失の方が大きいものとなる。特に、電子機器が携帯電話であった場合は、最小限、アドレス等の内部記憶データを読み取れる程度に機能の復帰が望まれるものであるが、機能不全に陥った電子機器のデータを復帰させる装置はなかった。
半導体基板の表面を洗浄する方法としては、その製造段階において、純水を注ぎながら超音波で半導体基板の表面に付着した微粒子を除去することが実施されている。また、純水洗浄の前段階として、高濃度の酸、アルカリや洗剤などによる薬品洗浄工程を行う場合があり、薬品としてアンモニア過酸化水素洗浄液等が利用されている。
特開２０００−３５４７２９号公報には、電子部品部材類の洗浄に際し、汚染微粒子の再付着を防止すると共に、還元性機能水の性能を損なうことのない静電気帯電防止能を有する洗浄用機能水の製造方法及び製造装置が開示されており、純水に水素ガスを溶解する水素ガス溶解槽、炭酸ガス又はアンモニアガスを溶解して所定の比抵抗に調整する比抵抗調整槽、及び洗浄槽を備えている。
【特許文献１】特開２０００−３５４７２９号公報
【発明の開示】
【発明が解決しようとする課題】
【０００３】
従来、電子機器データのバックアップを録っていなかったことによるメモリーデータ損失の被害は、そのデータの復帰手段がなかったことにより、かなりなものとなっている。本発明は、水濡れ等により、機能不全に陥った電子機器のデータを復帰させる目的で、データの回復手段を提供することであり、電子機器を一時的にでも回復させることにより、その内部に蓄積されたデータが読み込めるようにすることである。
【課題を解決するための手段】
【０００４】
本発明のデータ復帰装置は、電子機器が水濡れ汚染により使用不能になった場合でも、これを一時的に復帰させることにより、内部データのバックアップ記録を可能にするデータ復帰装置であって、高純度の純水を貯水するように形成した第１再生処理槽と、前記再生処理層内の純水を循環させる循環手段と、前記再生処理槽内の純水の純度が保たれるようにした純度保持手段と、を備え、前記電子機器を前記再生貯水槽に投入することにより、前記電子機器の電子基板上に付着した付着物を純水で洗浄するようにしたことを特徴とする。前記純度保持手段は、純水の循環途中に設けられたイオン交換樹脂及びフィルタであり、純水の純度を電気伝導度０．０６〜１００μＳ／ｃｍに保つことを特徴とする。前記データ復帰装置は、前記電子機器が純水による洗浄でデータ復帰しなかった場合、さらに、酸性水もしくはアルカリ水に浸すための第２再生処理槽を備えていることを特徴とする。前記第１および／または第２再生貯水槽には、超音波によるキャビテーションの発生装置が設けられ、キャビテーションで純水を振動させて前記付着物を剥離するようにしたことを特徴とする。
【発明の効果】
【０００５】
本発明によれば、携帯電話機などの電子機器を誤って汚れた水中に落し、機能を損なった場合でも、導通部分（半導体基板もしくは回路基板）に付着した汚れ（付着物）を除去して、少なくとも内部記憶データを復帰、回収できる程度に、ほぼ確実に機能を取り戻して再使用できる。即ち、イオン濃度の小さい洗浄水（純水）に近い水にて洗浄する事により、電子機器回路上に付着した導電性不純物をイオン化して剥離させることができる。イオン濃度の小さい洗浄水は、電気伝導度で示され、０．０６〜１００μＳ／ｃｍの範囲に純度が維持されることにより洗浄効果が向上する。キャビテーションで再生処理槽内の純水を振動させた場合は、付着物の剥離がさらに促進される。付着物の種類によっては、酸性水もしくはアルカリ水で洗浄することもできる。
【発明を実施するための最良の形態】
【０００６】
以下、本発明によるデータ復帰装置の実施の形態を、図面に基づき詳細に説明する。図１は、本発明のデータ復帰装置１を示した斜視図である。この図１に示すように、データ復帰装置１は前面に操作パネル３０を備え、その背面に１次洗浄槽１０（第１再生処理槽）、２次洗浄槽２０（第２再生処理槽）を備え、底部には下部槽カバー４０を備えている。操作パネル３０には、各々１次洗浄槽１０、２次洗浄槽２０に対応する、インディケータ（３１、３４）、オンオフランプ（３２、３５）、オンオフスイッチ（３３、３６）、及び全体のオンオフスイッチ３８を備える。
【０００７】
図２は、１次洗浄槽１０に関係する部分の機能模式図であり、大略、１次洗浄槽１０を形成する１次洗浄槽本体１２と、下部槽カバー４０に収容された１次洗浄槽用下部槽本体４１とから構成されている。下部槽本体４１には、１次洗浄槽本体１２に貯留される洗浄水１１（純水）の純度を所定のレベル（電気伝導度０．０６〜１００μＳ／ｃｍ；１６．６７〜０．０１ＭΩ・ｃｍ）で維持できるように純水の純度維持手段が設けられ、さらに、キャビテーション発生装置１３が設けられている。このキャビテーション発生装置１３は、１次洗浄槽本体１２内の底部に設けられた振動子１３１を振動させキャビテーションを発生させる。
【０００８】
純水の純度維持手段は、純水を循環させるポンプ１４、循環途中で水から不純物を取除くプレフィルタ１５及び中空子膜１６、純水に溶け込んでいる電解質を取除くイオン交換樹脂膜１７からなる。これにより、１次洗浄槽本体４１に注入した洗浄水１１は、ポンプ１４により、ポンプ１４、プレフィルタ１５、中空子膜１６、イオン交換樹脂１７を経て循環し純度が維持される。因みに、全く不純物のない理論純水は、１８、２５ＭΩ・ｃｍ（０．０５４８μＳ／ｃｍ）であり、ＤＲＡＭの洗浄に使われる水の純度は６４Ｋビットで１７ＭΩ・ｃｍ以上、生活用水の水道水は０、００５ＭΩ・ｃｍ程度である。
【０００９】
本実施の形態においては、電子機器における導通部分（半導体基板もしくは回路基板）に付着した汚れを、溶解もしくは剥離して除去するものであることから、上述したレベル（１６．６７〜０．０１ＭΩ・ｃｍ）の電気伝導度を有する純水を利用するものであるが、高純度の純水を利用するようにする場合には、さらなる設備を要する。例えば、０．１ＭΩ・ｃｍ以上の純水の場合は、イオン交換を中心とした脱塩処理が中心となるが、１．０ＭΩ・ｃｍ以上の高純水の場合は、イオン交換と逆浸透（ＲＯ）膜による脱塩が必要であり、さらに、１０ＭΩ・ｃｍ以上の超純水にするためには、前処理として、イオン交換や蒸留、逆浸透（ＲＯ）によって、脱塩や吸着、ろ過、脱気、減菌などの水処理技術が組み合わされる。
【００１０】
イオン交換を中心とした脱塩処理を中心とする場合、洗浄水に使われる原水としては水道水であるので、不純物として溶解固形分が含まれている。このような溶解固形分は、イオンとして水中に含まれており、例えば、Ｃａ、Ｍｇ、Ｎａ、Ｆｅ、Ｍｎ等の陽イオンであり、ＨＣＯ３、Ｃｌ、ＳＯ、ＮＯ等の陰イオンである。このようなイオンは、イオン交換樹脂で除去される。尚、陰イオン交換樹脂は、有機イオンや、イオン状シリカ、溶存している炭酸ガスも除去できる。上述したイオン交換樹脂１７（図２参照）は、陽イオン交換樹脂と陰イオン交換樹脂を配置洗浄水１１の流路に直列に配置する。
【００１１】
本実施の形態において、０．１ＭΩ・ｃｍ以上の純水を洗浄液１１として循環させるように構成する場合、イオン交換樹脂との組み合わせで、１μ級の粒子が除去できるプレフィルター１５と、０．４５μ級以上の粒子が除去できる中空子膜１６とを設けることができる。このような組み合わせは、フィルターや膜を適宜選択して、水中の存在する菌類や藻類を除去する精密ろ過（ＭＦ）や、コロイド領域の蛋白質が除去できる限外ろ過（ＵＦ）を組み合わせてもよい。また、高純度の純水を得るようにする場合には、逆浸透（ＲＯ）膜を使用し、非イオン性有機物、微粒子、陽イオン、陰イオン、有機イオン等除去できるようにしてもよい。これにより、微粒子、有機物、バクテリア、シリカなど可能な限り除去し、水の解離による水素イオンや水酸化イオン以外の電解質を含まないようにする。また、データ復帰装置１に高精度の電気伝導度計（図省略）や、微粒子の数を測定するパーティクルカウンター（図省略）等の検出機を備え、リアルタイムで洗浄水の状態を把握できるようにするのがよい。さらに、酸化還元電位計や、溶存酸素濃度計を設け、酸化還元電位及び溶存酸素濃度を常時監視するようにしてもよい。尚、本実施の形態では、下部槽カバー４０内に、純度維持手段を設けたが、その位置に限られることなく、例えば、操作パネル３０内であってもよい。
【００１２】
２次洗浄槽２０に貯水される洗浄液としては、電子機器を製造する際の洗浄液、例えば、アンモニア（約３％）と過酸化水素（約３％）の混合溶液を約８０℃に加熱したアンモニア過酸化水素洗浄液、もしくは、電気分解装置のカソード側から得られる水溶液にアルカリ性溶液を添加して製造される洗浄用機能水等でもよい。本実施の形態では、純水を貯水した１次洗浄槽１０で洗浄した後に、電子機器の機能が回復しなかった場合、２次洗浄槽２０に貯水されたｐＨ調整された洗浄液で再洗浄するものである。しかし、逆に、２次洗浄槽２０に貯水された洗浄液で電子機器を洗浄した後に、１次洗浄槽１０の純水で洗浄してもよい。
【実施例１】
【００１３】
実施例として水に浸かって使用不能になった携帯電話機（電子機器）を、本発明のデータ復帰装置の１次洗浄槽１０に入れた。この結果、
（１）電気伝導度１０．０μＳ／ｃｍ（０．１ＭΩ・ｃｍ）の場合、水浸した携帯電話機５０台のうち、３９台が再使用可能になった。
（２）電気伝導度０．１μｓ／ｃｍ（１０．０ＭΩ・ｃｍ）の場合、水浸した携帯電話機５０台のうち、４９台が再使用可能になった。
上述した結果から、電気伝導度が低い洗浄水（純度の高い純水）であるほど、洗浄効果が高いという結果が得られた。尚、使用不能になった携帯電話機は、井戸水もしくは水道水（２００μＳ／ｃｍ）に水浸させたもので、これを乾燥させた結果、その機能が復帰しなかったものである。
【実施例２】
【００１４】
海水中に落下浸漬した電子機器の場合は、２次洗浄槽にｐＨ１０〜１１のアルカリ性洗浄液を注入して洗浄すると効果的である。
携帯電話機による実験によれば、本洗浄方式により、５台のうち４台が再使用可能になった。
風呂またはトイレに落下浸漬した電子機器の場合は、１次洗浄槽にｐＨ２．９〜３．５の酸性洗浄液を注入して洗浄すると効果的である。
携帯電話機による実験によれば、本洗浄方式により、５台のうち５台が再使用可能になった。
【００１５】
以上のことから、純水あるいは純度の高い純水で洗浄することにより、電子機器の電子回路の正常な働きを妨げる不純物をイオン化して剥離し、その電子回路を正常に復帰させることが理解される。本実施例においては、電子機器として携帯電話を示したが、携帯電話に限定されることなく、他に、デジタルカメラ、ファミコン、時計、ノートパソコン等であってもよい。
【図面の簡単な説明】
【００１６】
【図１】本発明によるデータ復帰装置の斜視図である。
【図２】本発明によるデータ復帰装置を説明する説明図である。
【符号の説明】
【００１７】
１      データ復帰装置
１０    １次洗浄槽
１１    洗浄水（純水）
１２    洗浄槽本体
１３    超音波発生器
１４    ポンプ
１５    プレフィルタ
１６    中空子膜
１７    イオン交換樹脂
２０    ２次洗浄槽
３０    操作パネル
３１、３４    インディケータ
３２、３５    ランプ
３３、３６    オンオフスイッチ
３８    全体のオンオフスイッチ
４０    下部槽カバー
４１    下部槽本体
１３１  振動子
Ａ      被洗浄物
【図１】
2005254104.tif 000003
【図２】
2005254104.tif 000004